(57)【要約】      （修正有）【課題】外部からの異物または組立工程中に発生した異物がＩＲフィルターに侵入することを防止する。【解決手段】ボイスコイルモータ８００は、開口の形成されたベース１００と、ベース１００の上面に提供され、異物を捕集する異物捕集膜と、ベース１００の上部に配置されてレンズを支持するボビン３１０、及びボビン３１０の外周面に提供されたコイルブロック３２０を含む可動子３００と、ベース１００に支持され、コイルブロック３２０に相対するように配置されたマグネット４２０を含む固定子４００と、可動子３００及びベース１００に連結され、可動子３００を弾性的に支持する弾性部材５１０と、を含み、ベース１００の上面には、異物捕集膜の境界に沿って収容部が形成される。【選択図】図１
2013076985.tif 000002
【特許請求の範囲】
【請求項１】
開口の形成されたベースと、
前記ベースの上面に提供され、異物を捕集する異物捕集膜と、
前記ベースの上部に配置されてレンズを支持するボビン、及び該ボビンの外周面に提供されたコイルブロックを含む可動子と、
前記ベースに支持され、前記コイルブロックに相対するように配置されたマグネットを含む固定子と、
前記可動子及び前記ベースに連結され、前記可動子を弾性的に支持する弾性部材と、
を含み、
前記ベースの上面には、前記異物捕集膜の境界に沿って収容部が形成される、ボイスコイルモータ。
【請求項２】
前記収容部は、前記ベースの前記開口の周辺に形成される、請求項１に記載のボイスコイルモータ。
【請求項３】
前記収容部は、前記ベースの前記開口に沿って閉ループ状に形成される、請求項２に記載のボイスコイルモータ。
【請求項４】
前記収容部は、前記ベースの前記開口に沿って複数個が互いに隔たって形成される、請求項２に記載のボイスコイルモータ。
【請求項５】
前記収容部は、前記ベースの上面において前記弾性部材の弾性部に対応する弾性部材領域と前記異物捕集膜との間に形成される、請求項１に記載のボイスコイルモータ。
【請求項６】
前記弾性部材領域は、前記ベースの上面の４つの隅部に形成され、前記収容部は、平面視で閉ループ状に形成される、請求項５に記載のボイスコイルモータ。
【請求項７】
前記収容部は、前記各弾性部材領域に対応する位置に選択的に形成される、請求項５に記載のボイスコイルモータ。
【請求項８】
前記収容部は、前記ベースの前記開口の周辺に形成された第１収容部と、前記第１収容部と隔たって前記ベースの上面に形成された第２収容部と、を含む、請求項１に記載のボイスコイルモータ。
【請求項９】
前記収容部は、前記ベースの前記上面に凹んで形成される、請求項１に記載のボイスコイルモータ。
【請求項１０】
前記収容部は、トレンチ状に形成される、請求項９に記載のボイスコイルモータ。
【請求項１１】
前記異物捕集膜は、粘性を有するエポキシ樹脂を含む、請求項１に記載のボイスコイルモータ。
【請求項１２】
レンズを支持するボビン、及び前記ボビンの外周面に提供されたコイルブロックを含む可動子と、
前記コイルブロックに相対するように配置されたマグネットを含む固定子と、
前記可動子及び前記固定子をサポートし、前記レンズに対応する位置に開口が形成されたベースと、
前記可動子及び前記ベースに連結されて、前記可動子を弾性的に支持する弾性部を含む弾性部材と、
前記ベースの上面に提供されて異物を捕集する粘性の異物捕集膜と、
を含み、
前記ベースの上面には、前記弾性部及び前記ベースの前記開口の少なくとも一方に前記異物捕集膜が侵入することを防止する収容溝が形成される、ボイスコイルモータ。
【請求項１３】
前記収容溝は、前記開口の周辺に沿ってトレンチ状に形成される、請求項１２に記載のボイスコイルモータ。
【請求項１４】
前記収容溝は、平面視で閉ループ状に形成される、請求項１３に記載のボイスコイルモータ。
【請求項１５】
前記収容溝は、平面視で互いに隔たって複数個が形成される、請求項１３に記載のボイスコイルモータ。
【請求項１６】
前記収容溝は、前記弾性部及び前記開口の間に形成され、前記弾性部に沿って閉ループ状に形成される、請求項１２に記載のボイスコイルモータ。
【請求項１７】
前記収容溝は、前記弾性部及び前記開口の間に形成され、前記弾性部に対応する位置ごとに形成される、請求項１２に記載のボイスコイルモータ。
【請求項１８】
前記収容溝は、前記開口の周辺に沿ってトレンチ状に形成された第１収容溝、及び前記弾性部と前記開口の間に形成され、前記弾性部に沿って形成された第２収容溝を含む、請求項１２に記載のボイスコイルモータ。
【請求項１９】
前記第１収容溝及び前記第２収容溝は、平面視で閉ループ状に形成される、請求項１８に記載のボイスコイルモータ。
【請求項２０】
前記第１収容溝及び前記第２収容溝は、平面視で断続的に形成される、請求項１８に記載のボイスコイルモータ。
【発明の詳細な説明】
【技術分野】
【０００１】
本発明は、ボイスコイルモータに関するものである。
【背景技術】
【０００２】
近年、超小型デジタルカメラ付きの携帯電話のような携帯用電子機器が開発されている。
【０００３】
携帯電話に装着された超小型デジタルカメラは、主に、外部光をデジタルイメージに変更するイメージセンサーと、イメージセンサーに対向して配置された光学レンズと、を含む。
【０００４】
従来の超小型デジタルカメラは、イメージセンサーと光学レンズとの間の距離が調節し難くなっていたが、最近では、イメージセンサーと光学レンズとの間の距離を調節するためのボイスコイルモータ（ＶＣＭ）のようなレンズ駆動装置が開発されている。
【０００５】
ボイスコイルモータは、レンズが装着されるボビン及びボビンに巻線されたコイルブロックを含む可動子と、可動子を駆動するための固定子と、可動子を弾性的に固定する弾性部材と、可動子及び固定子が固定され、裏面にＩＲフィルター及びイメージセンサーが装着されるベースと、を含む。
【０００６】
従来のボイスコイルモータは、可動子がベースに対して往復運動をするため、可動子の駆動中にまたはボイスコイルモータの組み立て中に、微小な埃のようなパーティクルや可動子から発生した異物が、ベースに固定されているＩＲフィルターに付着されると、イメージセンサーから生成されたイメージ品質が大きく低下することにつながる。
【発明の概要】
【発明が解決しようとする課題】
【０００７】
本発明は、外部からの異物または組立工程中に発生した異物がＩＲフィルターに侵入することを防止できるボイスコイルモータを提供する。
【０００８】
また、本発明は、異物がＩＲフィルターに侵入することを防止するために、ＩＲフィルターの装着されているベースに塗布した異物侵入防止膜の移動による汚染及び不良も防止できるボイスコイルモータを提供する。
【課題を解決するための手段】
【０００９】
一実施例として、ボイスコイルモータは、開口の形成されたベースと、前記ベースの上面に提供され、異物を捕集する異物捕集膜と、前記ベースの上部に配置されてレンズを支持するボビン、及び該ボビンの外周面に提供されたコイルブロックを含む可動子と、前記ベースに支持され、前記コイルブロックに相対するように配置されたマグネットを含む固定子と、前記可動子及び前記ベースに連結され、前記可動子を弾性的に支持する弾性部材と、を含み、前記ベースの上面には、前記異物捕集膜の境界に沿って収容部が形成される。
【００１０】
一実施例として、ボイスコイルモータは、レンズを支持するボビン、及び前記ボビンの外周面に提供されたコイルブロックを含む可動子と、前記コイルブロックに相対するように配置されたマグネットを含む固定子と、前記可動子及び前記固定子をサポートし、前記レンズに対応する位置に開口が形成されたベースと、前記可動子及び前記ベースに連結されて、前記可動子を弾性的に支持する弾性部を含む弾性部材と、前記ベースの上面に提供されて前記異物を捕集する粘性の異物捕集膜と、を含み、前記ベースの上面には、前記弾性部及び前記ベースの前記開口の少なくとも一方に前記異物捕集膜が侵入することを防止する収容溝が形成される。
【発明の効果】
【００１１】
本発明に係るボイスコイルモータによれば、ベースの上面に異物を捕集する異物捕集膜を形成するとともに、異物捕集膜の過塗布によって異物捕集膜が弾性部材領域及び／またはＩＲフィルターが装着される開口に侵入することを防止することによって、異物及び異物捕集膜による汚染を防止する効果を奏する。
【図面の簡単な説明】
【００１２】
【図１】本発明の一実施例に係るボイスコイルモータを示す分解斜視図である。
【図２】図１のベースの平面図である。
【図３】図２のＩ−Ｉ’線断面図である。
【図４】本発明の他の実施例に係るボイスコイルモータのベースを示す平面図である。
【図５】本発明のさらに他の実施例に係るボイスコイルモータのベースを示す平面図である。
【図６】本発明のさらに他の実施例に係るボイスコイルモータのベースを示す平面図である。
【図７】本発明のさらに他の実施例に係るボイスコイルモータのベースを示す平面図である。
【発明を実施するための形態】
【００１３】
図１は、本発明の一実施例に係るボイスコイルモータを示す分解斜視図である。図２は、図１のベースの平面図である。図３は、図２のＩ−Ｉ’線断面図である。
【００１４】
図１乃至図３を参照すると、ボイスコイルモータ８００は、ベース１００、異物捕集膜２００、可動子３００、固定子４００及び弾性部材５００を含む。ボイスコイルモータ８００は、カバー部材６００をさらに含むことができる。
【００１５】
ベース１００は、直方体プレート状に形成され、ベース１００の中央部には開口１１０が形成される。ベース１００の裏面において、開口１１０に対応する部分にはＩＲフィルター１２０が配置され、ＩＲフィルター１２０の裏面にはイメージセンサー（図示せず）が配置されることが可能である。
【００１６】
ベース１００の上面には、後述される弾性部材５００の一部が配置される弾性部材領域ＥＲが形成され、弾性部材領域ＥＲは、ベース１００の上面における４個の隅部にそれぞれ形成される。
【００１７】
異物捕集膜２００は、ベース１００の上面に形成されるもので、後述される可動子３００が上下する時に発生する異物、またはボイスコイルモータ８００を組み立てる時に発生する異物を捕集して、異物がＩＲフィルター１２０へ侵入することを防止する。
【００１８】
異物捕集膜２００は、粘性を有する液体をベース１００の上面に塗布して薄い膜厚に形成されるとともに、弾性部材領域ＥＲ以外のベース１００の上面に形成される。
【００１９】
粘性を有する異物捕集膜２００をベース１００の上面に形成するときに、指定された量よりも多い量が塗布されると、異物捕集膜２００の一部が弾性部材領域ＥＲに侵入することがある。このように異物捕集膜２００の一部が弾性部材領域ＥＲに侵入すると、異物捕集膜２００が、弾性部材領域ＥＲに配置されている弾性部材５００の一部に被着されて、弾性部材５００の機能を大きく低下させる。
【００２０】
なお、粘性を有する異物捕集膜２００をベース１００の上面に形成するときに、指定された量よりも多い量が塗布されると、粘性を有する異物捕集膜２００がベース１００の開口１１０を通ってＩＲフィルター１２０に侵入することもある。このように異物捕集膜２００の一部が開口１１０を通ってＩＲフィルター１２０に侵入すると、ＩＲフィルター１２０が汚染され、イメージセンサーから生成されたデジタルイメージまたは動画像の品質が低下する。
【００２１】
本発明の一実施例では、粘性を有する異物捕集膜２００がベース１００の開口１１０または弾性部材領域ＥＲに侵入することを防止するために、ベース１００の上面には、異物捕集膜２００の境界に沿って形成された収容部（または収容溝）１３０が形成される。
【００２２】
本発明の一実施例において、収容部１３０は、塗布しすぎた異物捕集膜２００の一部を受け入れ、異物捕集膜２００がベース１００の開口１１０及び弾性部材領域ＥＲに侵入することを防止する役割を果たす。
【００２３】
収容部１３０は、第１収容部１３２及び第２収容部１３４を含む。
【００２４】
第１収容部１３２は、ベース１００の上面に形成され、ベース１００の開口１１０に沿ってトレンチ（ｔｒｅｎｃｈ）状に形成される。本発明の一実施例において、第１収容部１３２は、平面視で閉ループ状に形成される。
【００２５】
第１収容部１３２の幅及び深さは、異物捕集膜２００の過塗布量を勘案して調節すればよい。
【００２６】
第２収容部１３４は、ベース１００の上面に形成され、弾性部材領域ＥＲに沿ってトレンチ（ｔｒｅｎｃｈ）状に形成される。本発明の一実施例において、第２収容部１３４は、平面視で閉ループ状に形成される。
【００２７】
第２収容部１３４の幅及び深さも、異物捕集膜２００の過塗布量を勘案して調節すればよい。
【００２８】
図４は、本発明の他の実施例に係るボイスコイルモータのベースを示す平面図である。
【００２９】
図１及び図４を参照すると、開口１１０の形成されているベース１００の上面には、粘性を有する異物捕集膜２００が形成され、ベース１００では、塗布しすぎた異物捕集膜２００の一部が開口１１０を通ってＩＲフィルター１２０に侵入することを防止するために、ベース１００の開口１１０の周囲にトレンチ状の収容部１４０が形成される。トレンチ状の収容部１４０は平面視で閉ループ状に形成できる。
【００３０】
一方、異物捕集膜２００が弾性部材領域ＥＲに侵入することを防止するために、弾性部材領域ＥＲ及び異物捕集膜２００との間には、環状の突出部１４５が形成される。
【００３１】
図５は、本発明のさらに他の実施例に係るボイスコイルモータのベースを示す平面図である。
【００３２】
図１及び図５を参照すると、開口１１０の形成されているベース１００の上面には、粘性を有する異物捕集膜２００が形成され、ベース１００では、塗布しすぎた異物捕集膜２００の一部が開口１１０を通ってＩＲフィルター１２０に侵入することを防止するために、ベース１００の開口１１０周辺にトレンチ状の収容部１５０が形成される。トレンチ状の収容部１５０は、断続的に形成される。すなわち、トレンチ状の収容部１５０は、平面視で互いに隔たって複数個が配置される。
【００３３】
一方、異物捕集膜２００が弾性部材領域ＥＲに侵入することを防止するために、弾性部材領域ＥＲと異物捕集膜２００との間には環状の突出部１５５が形成される。
【００３４】
図６は、本発明のさらに他の実施例に係るボイスコイルモータのベースを示す平面図である。
【００３５】
開口１１０の形成されているベース１００の上面には粘性を有する異物捕集膜２００が形成され、ベース１００では、塗布しすぎた異物捕集膜２００の一部が弾性部材領域ＥＲに侵入することを防止するために、ベース１００の弾性部材領域ＥＲと異物捕集膜２００との間にトレンチ状の収容部１６０が形成される。トレンチ状の収容部１６０は、平面視で閉ループ状に形成できる。
【００３６】
一方、異物捕集膜２００が開口１１０に侵入することを防止するために、開口１１０に沿って環状の突出部１６５が形成される。
【００３７】
図７は、本発明のさらに他の実施例に係るボイスコイルモータのベースを示す平面図である。
【００３８】
開口１１０の形成されているベース１００の上面には、粘性を有する異物捕集膜２００が形成され、ベース１００では、塗布しすぎた異物捕集膜２００の一部が弾性部材領域ＥＲに侵入することを防止するために、ベース１００の弾性部材領域ＥＲと異物捕集膜２００との間にはトレンチ状の収容部１７０が形成される。トレンチ状の収容部１７０は、平面視で、互いに隔たって複数個が形成され、特に、収容部１７０は、弾性部材領域ＥＲに対応する位置に選択的に形成されてもよい。
【００３９】
一方、異物捕集膜２００が開口１１０に侵入することを防止するために、開口１１０に沿って環状の突出部１７５が形成される。
【００４０】
図１を再び参照すると、可動子３００は、レンズを収納するボビン３１０、及びボビン３１０の外周面に結合したコイルブロック３２０を含む。
【００４１】
ボビン３１０は、レンズを収納するために円筒形にすればよく、コイルブロック３２０は、絶縁樹脂によって絶縁された長い電線をボビン３１０の外周面に直接巻着したものであってもよく、巻線された状態でボビン３１０に結合してもよい。
【００４２】
固定子４００は、ヨーク４１０及びマグネット４２０を含む。ヨーク４１０は、四角筒形に形成され、ヨーク４１０の内部にはマグネット４２０が配置され、マグネット４２０は、ボビン３１０の外周面に結合しているコイルブロック３２０に相対するように配置される。
【００４３】
弾性部材５００は、下部弾性部材５１０及び上部弾性部材５２０を含む。
【００４４】
下部弾性部材５１０は一対で形成され、各下部弾性部材５１０は、ボビン３１０の下面に結合し、かつコイルブロック３２０の両側端部に電気的に連結される。
【００４５】
各下部弾性部材５１０は、ジグザグ状に弾性を発生させる弾性部を含み、弾性部は、ベース１００の弾性部材領域ＥＲに対応する位置に配置される。
【００４６】
上部弾性部材５２０は、ヨーク４１０上に配置され、ボビン３１０の上端と結合する。
【００４７】
カバー部材６００は、ベース１００と結合し、かつ上部弾性部材５２０を押圧して固定する役割を果たす。
【００４８】
以上詳細に説明したように、ベースの上面に異物を捕集する異物捕集膜を形成する他、異物捕集膜の過塗布により異物捕集膜が弾性部材領域及び／またはＩＲフィルターの装着される開口に侵入することを防止することによって、異物及び異物捕集膜による汚染を防止する効果を奏する。
【００４９】
以上本発明の具体的な実施例が説明されたが、これは例示的なもので、当該分野における通常の知識を有する者には、それらの実施例から様々な変形及び均等な範囲における実施例が可能であるということが理解できるであろう。したがって、本発明の真の技術的保護範囲は、添付した特許請求の範囲により定められるべきである。
【図１】
2013076985.tif 000003
【図２】
2013076985.tif 000004
【図３】
2013076985.tif 000005
【図４】
2013076985.tif 000006
【図５】
2013076985.tif 000007
【図６】
2013076985.tif 000008
【図７】
2013076985.tif 000009